【事件の表示】
　特願２０１７−　６９９１５号「遊技機」拒絶査定不服審判事件〔平成３０年１１月　８日出願公開、特開２０１８−１７１１４７号〕について、次のとおり審決する。
【結　論】
　本件審判の請求は、成り立たない。
【理　由】
第１　手続の経緯　
　本願は、平成２９年３月３１日の出願であって、平成３０年２月１９日付けで拒絶の理由が通知され、同年４月３日に意見書及び手続補正書が提出され、同年８月７日付けで最後の拒絶の理由が通知され、同年１０月１８日に意見書及び手続補正書が提出されたところ、平成３１年３月２５日付け（謄本送達日：同年３月２９日）で、平成３０年１０月１８日付け手続補正書による補正が却下されるとともに拒絶査定（以下、「原査定」という。）がなされ、それに対して、令和１年６月１７日に拒絶査定不服審判の請求がなされると同時に手続補正書が提出されたものである。
第２　令和１年６月１７日に提出された手続補正書による補正（以下、「本件補正」という。）についての補正の却下の決定
［補正の却下の決定の結論］
　本件補正を却下する。
［理由］
１　本件補正について
　本件補正は、特許請求の範囲を補正する内容を含んでおり、本件補正により、特許請求の範囲の請求項１は、
（補正前：平成３０年４月３日付け手続補正書による補正）
「【請求項１】
　遊技の進行に関する遊技情報を表示する複数のＬＥＤを有する遊技表示手段を備えた遊技機において、
　前記遊技表示手段は、
　前記複数のＬＥＤが表面実装された基板と、
　前記基板の前面全体をカバーすると共に、前記複数のＬＥＤが発する光を夫々前方へ導く複数の導光孔を有する基板カバーとを有し、
　前記基板カバーの前側に配置され、前記複数のＬＥＤの発光態様を認識可能なシート材を備え、
　前記シート材は、遮光部と、前記遮光部に囲われて前記遮光部よりも遮光率が低く且つ前記複数の導光孔に夫々対応する複数の発光部とが共通のシートに形成され、
　前記遊技の進行を制御する遊技制御手段が、前記複数のＬＥＤを制御して遊技情報を表示させることを特徴とする遊技機。」から、
（補正後：本件補正である令和１年６月１７日付け手続補正書による補正）
「【請求項１】
Ａ　遊技の進行に関する遊技情報を表示する複数のＬＥＤを有する遊技表示手段を備えた遊技機において、
Ｂ　前記遊技表示手段は、
Ｂ１　
複
前記基板が取付けられると共に
側におけるＬＥＤ発光領域以外の所定領域を覆う第１カバーと、
Ｂ２　
前記第１カバーに設けられ
と
Ｂ３　
前記第１カバーの前面側を覆う第２カバーと、
Ｂ４　前記
第２
面
Ｃ　前記シート材は、遮光部と、前記遮光部に囲われて前記遮光部よりも遮光率が低く且つ前記複数の導光孔に夫々対応する複数の発光部とが共通のシートに形成され、
Ｄ１　
前記第２カバーは、前記シート材を貼付するときの取付け位置を位置決め可能な起立部を有し、
Ｄ２　
前記シート材を前記第２カバーの前面側に貼付するときに、前記シート材の外縁を前記起立部に沿わせることにより、前記複数の導光孔の各々と前記シート材の複数の発光部の各々とを合わせることが可能であり、
Ｅ
　
、複
Ｆ　ことを特徴とする遊技機。」
に補正された（下線は、補正箇所を明示するために当審で付した。また、符号ＡからＦは、当審にて分説して付した。）。
２　補正の適否
（１）本件補正
　本件補正は、補正前の請求項１について、
（ｉ）発明を特定するために必要な事項である「カバー」について、「第１カバー」及び「第２カバー」という２種類のカバーを備えることを限定するとともに、
（ｉ−１）発明を特定するために必要な事項である「基板の前面側に」、「基板の前面全体をカバーするように配置され」、「導光孔」を有する「カバー」について、
　「第２カバー」が「第１カバーの前面側を覆う」ことを限定し、
　「第１カバー」が、「前記基板が取付けられると共に前記基板の前面側におけるＬＥＤ発光領域以外の所定領域を覆う」ことを限定し、
　「第１カバー」に「導光孔」が設けられていることを限定し、
（ｉ−２）さらに、発明を特定するために必要な事項である「シート材」が、「カバーの前面側」に配置されることを、「第２カバーの前面側」に配置されると限定するほか、
（ｉ−３）「前記第２カバーは、前記シート材を貼付するときの取付け位置を位置決め可能な起立部を有し、
　前記シート材を前記第２カバーの前面側に貼付するときに、前記シート材の外縁を前記起立部に沿わせることにより、前記複数の導光孔の各々と前記シート材の複数の発光部の各々とを合わせることが可能であ」ることを限定し、
(ｉｉ)「遊技表示手段」が有する「基板」について、「前記複数のＬＥＤが表面実装された基板」としていたものから、「前記」を取って、「複数のＬＥＤが表面実装された基板」と書き改め、さらに、
（ｉｉｉ）「遊技制御手段」が「制御」する対象について、「前記複数のＬＥＤ」としていたものから、「前記」を取って、「複数のＬＥＤ」と書き改めるものである。
（２）補正目的
　上記（１）の補正事項（ｉ）は、補正前の発明特定事項に限定を加えるものであって、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
（３）新規事項
　本件補正は、願書に最初に添付した明細書又は図面の【００７４】−【００７８】、【００９１】、【００９３】、【００９９】、図７−図９、図１２の記載からみて新規事項を追加するものではないから、特許法第１７条の２第３項に掲げる要件を満たす。
　
３　本件補正発明の独立特許要件についての検討
　上記２（２）のとおり、本件補正は、特許法第１７条の２第５項第２号に掲げる「特許請求の範囲の減縮」を目的とする補正を含むことから、本件補正後の特許請求の範囲の請求項１に係る発明（以下、「本件補正発明」という。）が特許出願の際独立して特許を受けることができるものであるか（特許法第１７条の２第６項において準用する同法第１２６条第７項の規定に適合するか）について以下に検討する。
（１）本件補正発明
　本件補正発明は、本件補正である令和１年６月１７日付け手続補正書により補正された、上記「第２の１　本件補正について」で示した特許請求の範囲の請求項１に記載されたとおりのものである。
（２）引用文献１に記載された事項
　原査定の拒絶理由において引用された、本願の出願前に電気通信回線を通じて公衆に利用可能となった特開２０１６−６３９２２号公報（以下、「引用文献１」という。）には、図面と共に次の事項が記載されている（下線は当審にて付した。以下同じ。）。
ア　記載事項
（ア）「【技術分野】
【０００１】
　本発明は、始動入賞口へ遊技球が入賞したことを契機に取得される特別図柄判定用乱数を用いた抽選の結果に応じた図柄変動ゲームを実行する遊技機に関するものである。」
（イ）「【発明を実施するための形態】
【００３４】
　以下、本発明の実施形態として、具体的な実施例を図面に基づき詳細に説明する。
【実施例１】
【００３５】
［１．１遊技機全体の概要］
　実施例１の
パチンコ機Ｐ
【００３８】
　・・・
遊技盤１に
内側誘導レール１７ｂ
・・・
【００４１】
　さらに、大入賞口１５の下方に設置された装飾体５１には特別図柄表示装置５０が備えられると共に、風車１２の下方には、
第３の表示装置６０
設置されている
【００４２】
　第３の表示装置６０は、図２（Ｂ）に示す様に、内側誘導レール１７ｂの遊技領域側湾曲面に接する様に遊技盤に固定され、風車１２で弾かれて落下してくる遊技球ＰＢを、障害釘列１１ａへと誘導する誘導壁６０ａを形成する機能も発揮する様に取り付けられる。」
（ウ）「【００４９】
　本実施例においては、第３の表示装置６０は、特殊図柄変動表示を実行するだけでなく、特図保留情報、普通図柄変動ゲーム、普通図柄保留情報、及び、遊技者に対する右打ち・左打ちの示唆に関する表示も実行する様に、特図１変動表示部６０ｂ、特図１保留表示部６０ｃ、特図２変動表示部６０ｄ、特図２保留表示部６０ｅ、普通図柄変動表示部６０ｆ、普通図柄保留表示部６０ｇ、及び、右打ち・左打ち示唆表示部６０ｈを備えている。
【００５０】
［２　第３の表示装置］
　この様な用い方をされる
第３の表示装置６０は、
シール６１と、カバー体６２と、内側ケース６３と、ＬＥＤ基板６４とから構成され
【００５１】
　
シール６１は、光透過性を有しない非透明領域６１ａの中に１０個の光透過性を有する丸窓６１ｂ〜６１ｋを備え
【００５２】
　
カバー体６２は、透明合成樹脂成形体によって構成され
内側誘導レール１７ｂの遊技領域側湾曲面に対応する形状のレール側端部６２ａと、レール側端部６２ａの上端から右下方に傾斜する上端部６２ｂと、上端部６２ｂからレール側端部６２ａの下端に向かって形成された右側端部６２ｃとを有する正面板６２ｄを備えると共に、
この正面板６２ｄの上端部６２ｂから後方に向かって伸びる上端壁６２ｅと、正面板６２ａの右側端部６２ｃから後方に向かって伸びる右側壁６２ｆと、これら上端壁６２ｅ及び右側壁６２ｆを取り囲む様に外へ伸びる平板部６２ｇとを備え
【００５３】
　
内側ケース６３は、非透明合成樹脂成形体によって構成され
カバー体
の内側に収まる本体の上面６３ａに
１０個の窓孔６３ｂ〜６３ｋを備え
【００５４】
　
ＬＥＤ基板６４は、基板本体６４ａの上面に
１０個のＬＥＤ６４ｂ〜６４ｋが設置されたものとなっている。ＬＥＤ基板６４は、内側ケース６３の中に収納される様にして取り付けられ、１０個のＬＥＤ６４ｂ〜６４ｋは、内側ケース６３の１０個の窓孔６３ｂ〜６３ｋの直下に位置する様に配置され
【００５５】
　この結果、
第３の表示装置６０においては、シール６１の丸窓６１ｂ〜６１ｋ、内側ケース６３の窓孔６３ｂ〜６３ｋ、及び、ＬＥＤ基板６４のＬＥＤ６４ｂ〜６４ｋは、
遊技盤に組み付けたとき、対応するもの同士が互いに前後方向に重なり、窓孔６３ｂ〜６３ｋ及び丸窓６１ｂ〜６１ｋを介して、各ＬＥＤ６４ｂ〜６４ｋの点灯、点滅等の表示態様を視認することができる構成となってい
内側ケース６３の窓孔同士の間には、各ＬＥＤの光が他のＬＥＤに対応する丸窓から視認されてしまわない様に構成するための仕切部６３ｍがマス目状に形成され
【００５６】
　
第３の表示装置６０は、
遊技盤１を構成する板部材１ａの前面に平板部６２ｇの裏面を当接させると共に、内側誘導レール１７ｂの遊技領域側の湾曲面に天板６２ｄのレール側端部６２ａを当接させる様にして位置決めし、ネジ止め固定される
（エ）「【００５８】
　本実施例においては、第３の表示装置６０は、制御信号を受けて、図４，図５に示す様に動作する。なお、図４，図５は、各図（Ａ）の凡例に示す様に、白色で「消灯」を、縦ハッチングで「点滅」を、黒色で「点灯」を、それぞれ表現している。
【００５９】　
　
第３の表示装置６０は、
始動入賞装置７への遊技球の入賞を契機として取得された特図１判定用乱数の特別図柄判定に伴って実行される特別図柄変動ゲーム（特図１変動ゲーム）に対応し、ＬＥＤ６４ｂの消灯、点滅、点灯を実行
丸窓６１ｂを介して、
変動中
は「点滅」、
大当たり図柄確定時
は「点灯」、
はずれ図柄確定時
は「消灯」が視認されることとな
【００６０】
　第３の表示装置６０は、図４（Ｃ）に示す様に、始動入賞装置７への遊技球の入賞を契機として取得された特図１判定用乱数の保留個数に応じて、ＬＥＤ６４ｃ，６４ｄの消灯、点滅、点灯を実行する。［保留１個］のときはＬＥＤ６４ｃだけを「点灯」させ、［保留２個］のときはＬＥＤ６４ｃ，６４ｄを共に「点灯」させ、［保留３個］のときはＬＥＤ６４ｃを「点滅」，ＬＥＤ６４ｄを「点灯」させ、［保留４個］のときはＬＥＤ６４ｃ，６４ｄを共に「点滅」させる。これらの表示状態は、丸窓６１ｃ，６１ｄを介して視認される。なお、これら特図１保留個数を示す２個のＬＥＤ６４ｃ，６４ｄは、保留記憶がないとき（特図１変動ゲーム中を含む）においては、いずれもが「消灯」となる。
【００６１】
　第３の表示装置６０は、図４（Ｄ）に示す様に、
第２始動入賞装置２７への遊技球の入賞を契機として取得された特図２判定用乱数の特別図柄判定に伴って実行される特別図柄変動ゲーム（特図２変動ゲーム）に対応し、ＬＥＤ６４ｅの消灯、点滅、点灯を実行
変動中
は「点滅」、
大当たり図柄確定時
は「点灯」、
はずれ図柄確定時
は「消灯」
丸窓６１ｅを介して視認される
【００６２】
　第３の表示装置６０は、図４（Ｅ）に示す様に、第２始動入賞装置２７への遊技球の入賞を契機として取得された特図２判定用乱数の保留個数に応じて、ＬＥＤ６４ｆ，６４ｇの消灯、点滅、点灯を実行する。［保留１個］のときはＬＥＤ６４ｆだけを「点灯」させ、［保留２個］のときはＬＥＤ６４ｆ，６４ｇを共に「点灯」させ、［保留３個］のときはＬＥＤ６４ｆを「点滅」，ＬＥＤ６４ｇを「点灯」させ、［保留４個］のときはＬＥＤ６４ｆ，６４ｇを共に「点滅」させる。これらの表示状態は、丸窓６１ｆ，６１ｇを介して視認される。これら特図２保留個数を示す２個のＬＥＤ６４ｆ，６４ｇは、保留記憶がないとき（特図２変動ゲーム中を含む）においては、いずれもが「消灯」となる。
【００６３】
　本実施例の遊技機は、上述の様に、通常状態では普通図柄判定における当たり確率は「ほぼ０」であるから、右打ち遊技をしても遊技者は有利にならない。その一方、「右打ち有利状態」となっている間は、右打ち遊技が遊技者にとって有利となる。そこで、図５（Ｂ）に示す様に、第３の表示装置６０のＬＥＤ６４ｈの消灯、点灯を実行することで、右打ち・左打ちの示唆を実行する。［左打ち］を示唆する条件にあるときはＬＥＤ６４ｈを「消灯」、［右打ち］を示唆する条件にあるときはＬＥＤ６４ｈを「点灯」に制御する。これらの表示状態は、丸窓６１ｈを介して視認される。
【００６４】
　第３の表示装置６０は、図５（Ｃ）に示す様に、ゲート３７に対する遊技球の通過を契機として取得された普通図柄判定用乱数の普通図柄判定に伴って実行される普通図柄変動ゲームに対応し、ＬＥＤ６４ｉの消灯、点滅、点灯を実行する。［変動中］は「点滅」、［当たり図柄確定時］は「点灯」、［はずれ図柄確定時］は「消灯」となる。なお、普通図柄変動ゲームが実行されていないときも「消灯」となる。これらの表示状態は、丸窓６１ｉを介して視認される。
【００６５】
　第３の表示装置６０は、図５（Ｄ）に示す様に、ゲート３７に対する遊技球の通過を契機として取得された普通図柄判定用乱数の保留個数に応じて、ＬＥＤ６４ｊ，６４ｋの消灯、点滅、点灯を実行する。［保留１個］のときはＬＥＤ６４ｊだけを「点灯」させ、［保留２個］のときはＬＥＤ６４ｊ，６４ｋを共に「点灯」させ、［保留３個］のときはＬＥＤ６４ｊを「点滅」，ＬＥＤ６４ｋを「点灯」させ、［保留４個］のときはＬＥＤ６４ｊ，６４ｋを共に「点滅」させる。これらの表示状態は、丸窓６１ｊ，６１ｋを介して視認される。これら普通図柄保留個数を示す２個のＬＥＤ６４ｊ，６４ｋは、保留記憶がないとき（普通図柄変動ゲーム中を含む）においては、いずれもが「消灯」となる。」
（オ）「【００６８】
　
サブ制御基板３２０は、主制御基板３１０からの指令信号に基づいて、
、第３の表示装置６０に対して
制御指令を出力し
・・・
【００９２】
　こうして読み出した特図２保留情報中の乱数１が、主制御基板３１０のＲＯＭに記憶されている大当り判定値と一致するか否かを判定する（Ｓ３１０）。この大当り判定(当り抽選)は、非確変の時(低確率の時)に大当り判定の判定結果が肯定となる確率(すなわち大当り確率)は、１６４／６５５３６に設定され、確変状態の時(高確率の時)に判定結果が肯定となる確率(大当り確率)は、１５１８／６５５３６に設定されている。
【００９３】
　
大当り判定の判定結果が肯定の場合には
主制御基板３１０は
特別図柄表示装置５０に確定停止表示させる
大当り図柄
を決定する
【００９４】
　一方、Ｓ３１０の
大当り判定の判定結果が否定の場合には
はずれ図柄
を決定し
・・・
【００９６】
　こうして変動パターンおよび最終停止図柄を決定した主制御基板３１０は、サブ制御基板３１０に対し、所定の制御コマンドを所定のタイミングで出力する(Ｓ３６０)。具体的には、主制御基板３１０は、変動パターンを指定すると共に図柄変動の開始を指示する変動パターン指定コマンドを出力すると共に、変動パターンで特定された演出時間の計測を開始する。これと同時に、主制御基板３１０は、特図変動表示を開始させるように特別図柄表示装置５０を制御する。また、主制御基板３１０は、最終停止図柄となる特別図柄を指示するための特図指定コマンドを出力する。こうして、主制御基板３１０は、特図開始処理を終了する。その後、特図開始処理とは別の処理において、主制御基板３１０は、指定した変動パターンに定められている演出時間に基づいて、決定した最終停止図柄を表示させるように特別図柄表示装置５０の表示内容を制御する。また、主制御基板３１０は、指定した変動パターンに定められている演出時間に基づいて、サブ制御基板３２０に対して飾り図柄及び特殊図柄の変動停止を指示し、飾り図柄及び特殊図柄を確定停止表示させるための全図柄停止コマンドを出力する。これらの指令を受け、サブ制御基板３２０は、液晶表示装置ＬＣＤに表示する第１図柄〜第３図柄（飾り図柄）と
第３の表示装置６０のＬＥＤ６４ｅで
特別図柄の変動開始に同期させて変動表示を開始し、特別図柄の停止に同期させて確定停止表示を実行する
【００９７】
　これに対し、特図保留情報が特図２保留情報でない場合は（Ｓ２５０：ＮＯ）、特図１保留情報であるか否かを判定する（Ｓ２５５）。特図１保留情報である場合は（Ｓ２５５：ＹＥＳ）、特図１記憶数Ｎ１をデクリメントし（Ｓ２６５）、記憶順の一番早い特図保留情報を読み出す（Ｓ２７５）。その後は、特図１変動表示用処理（Ｓ４００）を実行する。この特図１変動表示用処理は、Ｓ３１０〜Ｓ３６０と同様に構成されている。なお、Ｓ３３０に対応するステップでの乱数２に基づく当たり種別の振り分け確率は、上述の様に特図２保留情報の方が、「長時間開放動作」となる大当たりパターンへの振り分け確率を高めたり、あるいは確率変動状態への突入割合を高めるなど、遊技者に有利となる様な設定となっている。特図１保留情報に基づくＳ４００の処理に対応して、主制御基板３１０から指令を受けたサブ制御基板３２０は、液晶表示装置ＬＣＤに表示する第１図柄〜第３図柄（飾り図柄）と第３の表示装置６０の
ＬＥＤ６４ｂ
（カ）「【図３】
　　　　　　　　　　　　　　　　　　　　　　　　　　　　　　　　　」
　また、上で摘記した（ウ）における、【００５３】の「カバー体５１」との記載は、【００５０】、【００５２】及び図３（Ａ）等明細書及び図面の他の記載を併せると、「カバー体６２」の誤りであると認められる。
イ　認定事項
（ア）   認定事項１
　上記ア（ウ）に示した【００５５】には、「この結果、第３の表示装置６０においては、シール６１の丸窓６１ｂ〜６１ｋ、内側ケース６３の窓孔６３ｂ〜６３ｋ、及び、ＬＥＤ基板６４のＬＥＤ６４ｂ〜６４ｋは、図３（Ａ）〜（Ｃ）に示す様に、遊技盤に組み付けたとき、対応するもの同士が互いに前後方向に重なり、窓孔６３ｂ〜６３ｋ及び丸窓６１ｂ〜６１ｋを介して、各ＬＥＤ６４ｂ〜６４ｋの点灯、点滅等の表示態様を視認することができる構成となっている。」と記載されており、遊技盤に組み付けたとき、シール６１が前側に位置し、ＬＥＤ基板６４が後ろ側に位置することは明らかであり、上記ア（カ）に示した図３（Ａ）〜（Ｃ）を参照すると、引用文献１には、以下の事項が記載されていると認められる。　
・ＬＥＤ基板６４の基板本体６４ａの前面側に、１０個のＬＥＤ６４ｂ〜６４ｋが設置されていること（認定事項１−１）。
・カバー体６２は、内側ケース６３の上面６３ａの前面側を覆っていること（認定事項１−２）。
・シール６１は、カバー体６２の正面板６２ｄの前面側に配置されていること（認定事項１−３）。
（イ）　認定事項２
　また、上記ア（ウ）に示した【００５５】の「内側ケース６３の窓孔６３ｂ〜６３ｋ」との記載から、「窓孔６３ｂ〜６３ｋ」とは、「内側ケース６３」の上面６３ａにおいて、「窓」となる「孔」、すなわち、開口を形成していると解される。
　そして、上記ア（ウ）に示した【００５４】の「ＬＥＤ基板６４は、基板本体６４ａの上面に、１０個のＬＥＤ６４ｂ〜６４ｋが設置されたものとなっている。ＬＥＤ基板６４は、内側ケース６３の中に収納される様にして取り付けられ、１０個のＬＥＤ６４ｂ〜６４ｋは、内側ケース６３の１０個の窓孔６３ｂ〜６３ｋの直下に位置する様に配置されている。」との記載、及び、上記ア（ウ）に示した【００５５】の「シール６１の丸窓６１ｂ〜６１ｋ、内側ケース６３の窓孔６３ｂ〜６３ｋ、及び、ＬＥＤ基板６４のＬＥＤ６４ｂ〜６４ｋは、・・・遊技盤に組み付けたとき、対応するもの同士が互いに前後方向に重なり、窓孔６３ｂ〜６３ｋ及び丸窓６１ｂ〜６１ｋを介して、各ＬＥＤ６４ｂ〜６４ｋの点灯、点滅等の表示態様を視認することができる」との記載とを併せ、さらに、上記ア（カ）に示した図３（Ａ）〜（Ｃ）を参照すると、ＬＥＤ基板６４の基板本体６４ａの前面側に設置されたＬＥＤ６４ｂ〜６４ｋについて、遊技盤に組み付けたとき、対応するもの同士が互いに前後方向に重なっている、内側ケース６３の窓孔６３ｂ〜６３ｋは、開口を形成しており、当該ＬＥＤ６４ｂ〜６４ｋの箇所は、内側ケース６３により覆われていないこととなるので、引用文献１には、以下の事項が記載されていると認められる。
・ＬＥＤ基板６４は、内側ケース６３の中に取り付けられ、
　内側ケース６３は、ＬＥＤ基板６４の基板本体６４ａの前面側のうち、ＬＥＤ６４ｂ〜６４ｋが設置された箇所を、覆っていないが、ＬＥＤ基板６４の基板本体６４ａの前面側のうち、ＬＥＤ６４ｂ〜６４ｋが設置された箇所以外を、覆っていること（認定事項２）。
ウ　引用発明
　上記ア、イを総合すると、引用文献１には、次の引用発明が記載されていると認められる。
引用発明
「第３の表示装置６０が遊技盤１に設置されているパチンコ機Ｐであって（【００３５】、【００３８】、【００４１】）、
　第３の表示装置６０は、ＬＥＤ基板６４と、内側ケース６３と、カバー体６２と、シール６１とから構成され（【００５０】）、
　ＬＥＤ基板６４の基板本体６４ａの前面側に、１０個のＬＥＤ６４ｂ〜６４ｋが設置され、
　ＬＥＤ基板６４は、内側ケース６３の中に取り付けられ、
　内側ケース６３は、ＬＥＤ基板６４の基板本体６４ａの前面側のうち、ＬＥＤ６４ｂ〜６４ｋが設置された箇所を、覆っていないが、ＬＥＤ基板６４の基板本体６４ａの前面側のうち、ＬＥＤ６４ｂ〜６４ｋが設置された箇所以外を、覆っており（認定事項１−１、認定事項２）、
　非透明合成樹脂成形体によって構成された内側ケース６３は、カバー体６２の内側に収まる本体の上面６３ａに１０個の窓孔６３ｂ〜６３ｋを備え、カバー体６２は、内側ケース６３の上面６３ａの前面側を覆っていて（【００５３】、認定事項１−２）、
　透明合成樹脂成形体によって構成されたカバー体６２は、内側誘導レール１７ｂの遊技領域側湾曲面に対応する形状のレール側端部６２ａと、レール側端部６２ａの上端から右下方に傾斜する上端部６２ｂと、上端部６２ｂからレール側端部６２ａの下端に向かって形成された右側端部６２ｃとを有する正面板６２ｄを備えると共に、この正面板６２ｄの上端部６２ｂから後方に向かって伸びる上端壁６２ｅと、正面板６２ａの右側端部６２ｃから後方に向かって伸びる右側壁６２ｆと、これら上端壁６２ｅ及び右側壁６２ｆを取り囲む様に外へ伸びる平板部６２ｇとを備え、
　第３の表示装置６０は、遊技盤１を構成する板部材１ａの前面に平板部６２ｇの裏面を当接させると共に、内側誘導レール１７ｂの遊技領域側の湾曲面に天板６２ｄのレール側端部６２ａを当接させる様にして位置決めし、ネジ止め固定され（【００５２】、【００５６】）、
　シール６１は、光透過性を有しない非透明領域６１ａの中に１０個の光透過性を有する丸窓６１ｂ〜６１ｋを備えるとともに、シール６１は、カバー体６２の正面板６２ｄの前面側に配置され（【００５１】、認定事項１−３）、
　第３の表示装置６０においては、シール６１の丸窓６１ｂ〜６１ｋ、内側ケース６３の窓孔６３ｂ〜６３ｋ、及び、ＬＥＤ基板６４のＬＥＤ６４ｂ〜６４ｋは、遊技盤に組み付けたとき、対応するもの同士が互いに前後方向に重なり、窓孔６３ｂ〜６３ｋ及び丸窓６１ｂ〜６１ｋを介して、各ＬＥＤ６４ｂ〜６４ｋの点灯、点滅等の表示態様を視認することができる構成となっていて、内側ケース６３の窓孔同士の間には、各ＬＥＤの光が他のＬＥＤに対応する丸窓から視認されてしまわない様に構成するための仕切部６３ｍがマス目状に形成され（【００５５】）、
　第３の表示装置６０は、
　始動入賞装置７への遊技球の入賞を契機として取得された特図１判定用乱数の特別図柄判定に伴って実行される特別図柄変動ゲーム（特図１変動ゲーム）に対応し、ＬＥＤ６４ｂの消灯、点滅、点灯を実行し、丸窓６１ｂを介して、変動中は「点滅」、大当たり図柄確定時は「点灯」、はずれ図柄確定時は「消灯」が視認されることとなり、
　第２始動入賞装置２７への遊技球の入賞を契機として取得された特図２判定用乱数の特別図柄判定に伴って実行される特別図柄変動ゲーム（特図２変動ゲーム）に対応し、ＬＥＤ６４ｅの消灯、点滅、点灯を実行し、丸窓６１ｅを介して、変動中は「点滅」、大当たり図柄確定時は「点灯」、はずれ図柄確定時は「消灯」が視認されることとなり（【００５９】、【００６１】）、
　主制御基板３１０とサブ制御基板３２０とを備え、
　主制御基板３１０は、特別図柄表示装置５０に確定停止表示させる特別図柄として、大当り判定の判定結果が肯定の場合には、大当り図柄を決定する一方、大当り判定の判定結果が否定の場合には、はずれ図柄を決定し、
　サブ制御基板３２０は、主制御基板３１０からの指令信号に基づいて、第３の表示装置６０に対して制御指令を出力し、第３の表示装置６０のＬＥＤ６４ｂ又はＬＥＤ６４ｅで、特別図柄の変動開始に同期させて変動表示を開始し、特別図柄の停止に同期させて確定停止表示を実行する（【００６８】、【００９３】、【００９４】、【００９６】、【００９７】）、
　パチンコ機Ｐ（【００３５】）。」
（３）対比
　引用発明と本件補正発明とを対比する。
ア　発明特定事項Ａ及び発明特定事項Ｆについて
　引用発明において、
　「第３の表示装置６０」が、「特別図柄変動ゲーム（特図１変動ゲーム）に対応し、ＬＥＤ６４ｂの消灯、点滅、点灯を実行し、丸窓６１ｂを介して、変動中は「点滅」、大当たり図柄確定時は「点灯」、はずれ図柄確定時は「消灯」が視認されること」、及び、「特別図柄変動ゲーム（特図２変動ゲーム）に対応し、ＬＥＤ６４ｅの消灯、点滅、点灯を実行し、丸窓６１ｅを介して、変動中は「点滅」、大当たり図柄確定時は「点灯」、はずれ図柄確定時は「消灯」が視認されること」は、いずれも、
　本件補正発明において、
　「遊技表示手段」が、「遊技の進行に関する遊技情報を表示」することに相当し、
　引用発明の「特別図柄変動ゲーム（特図１変動ゲーム）に対応し」て「消灯、点滅、点灯を実行」する「ＬＥＤ６４ｂ」、及び、「特別図柄変動ゲーム（特図２変動ゲーム）に対応し」て「消灯、点滅、点灯を実行」する「ＬＥＤ６４ｅ」は、本件補正発明の「複数のＬＥＤ」に相当する。
　また、引用発明の「パチンコ機Ｐ」は、本件補正発明の「遊技機」に相当する。
　よって、引用発明の「第３の表示装置６０が遊技盤１に設置されているパチンコ機Ｐであって、」「第３の表示装置６０は、」「特別図柄変動ゲーム（特図１変動ゲーム）に対応し、ＬＥＤ６４ｂの消灯、点滅、点灯を実行し、丸窓６１ｂを介して、変動中は「点滅」、大当たり図柄確定時は「点灯」、はずれ図柄確定時は「消灯」が視認されること」となり、「特別図柄変動ゲーム（特図２変動ゲーム）に対応し、ＬＥＤ６４ｅの消灯、点滅、点灯を実行し、丸窓６１ｅを介して、変動中は「点滅」、大当たり図柄確定時は「点灯」、はずれ図柄確定時は「消灯」が視認されること」となる「パチンコ機Ｐ」は、本件補正発明の発明特定事項Ａ及び発明特定事項Ｆに相当する。
イ　発明特定事項Ｂ、Ｂ１―Ｂ４について
発明特定事項Ｂ、Ｂ１―Ｂ４についてまとめて検討する。
（ア）上記アで検討したとおり、引用発明の「ＬＥＤ６４ｂ」及び「ＬＥＤ６４ｅ」は、本件補正発明の「複数のＬＥＤ」に相当することから、引用発明において、「ＬＥＤ６４ｂ」及び「ＬＥＤ６４ｅ」を含んだ「１０個のＬＥＤ６４ｂ〜６４ｋが」「基板本体６４ａの前面側に」「設置され」た「ＬＥＤ基板６４」は、本件補正発明の発明特定事項Ｂ１の「複数のＬＥＤが表面実装された基板」に相当する。
（イ）また、引用発明における、「ＬＥＤ基板６４」と「内側ケース６３」との関係をみると、
　引用発明において、
　「ＬＥＤ基板６４」が「内側ケース６３の中に取り付けられ」ていること、
　「内側ケース６３は、ＬＥＤ基板６４の基板本体６４ａの前面側のうち、ＬＥＤ６４ｂ〜６４ｋが設置された箇所は、覆っていないが、
　ＬＥＤ基板６４の基板本体６４ａの前面側のうち、ＬＥＤ６４ｂ〜６４ｋが設置された箇所以外を、覆って」いること、
　「内側ケース６３」はそれぞれ、
　本件補正発明の発明特定事項Ｂ１において、
　「前記基板」が「第１カバー」に「取付けられる」こと、
　「第１カバー」が「前記基板の前面側におけるＬＥＤ発光領域以外の所定領域を覆う」こと、
　「第１カバー」に相当する。
　そうすると、引用発明の「ＬＥＤ基板６４」が「内側ケース６３の中に取り付けられ」、「内側ケース６３は、ＬＥＤ基板６４の基板本体６４ａの前面側のうち、ＬＥＤ６４ｂ〜６４ｋが設置された箇所は、覆っていないが、ＬＥＤ基板６４の基板本体６４ａの前面側のうち、ＬＥＤ６４ｂ〜６４ｋが設置された箇所以外を、覆って」いる「内側ケース６３」は、本件補正発明の発明特定事項Ｂ１の「前記基板が取付けられると共に前記基板の前面側におけるＬＥＤ発光領域以外の所定領域を覆う第１カバー」に相当する。
（ウ）次に、引用発明は、「シール６１の丸窓６１ｂ〜６１ｋ、内側ケース６３の窓孔６３ｂ〜６３ｋ、及び、ＬＥＤ基板６４のＬＥＤ６４ｂ〜６４ｋは、遊技盤に組み付けたとき、対応するもの同士が互いに前後方向に重な」るから、引用発明の「ＬＥＤ６４ｂ」及び「ＬＥＤ６４ｅ」に対応する窓孔は、「窓孔６３ｂ」及び「窓孔６３ｅ」であり、前記窓孔に対応する丸窓は、「丸窓６１ｂ」及び「丸窓６１ｅ」であって、当該窓孔及び丸窓を介して、「ＬＥＤ６４ｂ」及び「ＬＥＤ６４ｅ」の「点灯、点滅等の表示態様を視認することができる構成」である。
　ところで、引用発明の「第３の表示装置６０」において、「内側ケース６３の窓孔同士の間には、各ＬＥＤの光が他のＬＥＤに対応する丸窓から視認されてしまわない様に構成するための仕切部６３ｍがマス目状に形成され」ることは、すなわち、引用発明は、「内側ケース６３」に、「窓孔６３ｂ」と他の「窓孔」と「の間に」「形成され」た「仕切部６３ｍ」が設けられることにより、引用発明は、「各ＬＥＤの光が他のＬＥＤに対応する丸窓から視認されてしま」うことなく、「ＬＥＤ６４ｂ」が発する光を、「窓孔６３ｂ」を介してのみ前方の「丸窓６１ｂ」に導くとともに、同様に、「内側ケース６３」に、「窓孔６３ｅ」と他の「窓孔」と「の間に」「形成され」た「仕切部６３ｍ」が設けられることにより、「ＬＥＤ６４ｅ」が発する光を、「窓孔６３ｅ」を介してのみ前方の「丸窓６１ｅ」に導くものである。
　そうすると、引用発明の「内側ケース６３」に設けられた、「窓孔６３ｂ」及び当該「窓孔６３ｂ」と他の「窓孔」「の間に」「形成され」た「仕切部６３ｍ」、並びに、「窓孔６３ｅ」及び当該「窓孔６３ｅ」と他の「窓孔」「の間に」「形成され」た「仕切部６３ｍ」という構成は、本件補正発明の「複数のＬＥＤが発する光を夫々前方へ導く複数の」手段に相当するから、引用発明の前記構成と、本件補正発明の発明特定事項Ｂ２とは、「前記第１カバーに設けられ複数のＬＥＤが発する光を夫々前方へ導く複数の」手段であるという点で共通する。
（エ）さらに、引用発明の「内側ケース６３」（本件補正発明の「第１カバー」に相当。）の「上面６３ａの前面側を覆っていて」いる「カバー体６２」は、本件補正発明の発明特定事項Ｂ３に相当する。
（オ）加えて、引用発明の「シール６１」は、「カバー体６２の正面板６２ｄの前面側に配置され」、また、上記（ウ）で述べたとおり、引用発明の「ＬＥＤ６４ｂ」及び「ＬＥＤ６４ｅ」に対応する窓孔は、「窓孔６３ｂ」及び「窓孔６３ｅ」であり、同丸窓は、「丸窓６１ｂ」及び「丸窓６１ｅ」であって、当該窓孔及び丸窓を介して、「ＬＥＤ６４ｂ」及び「ＬＥＤ６４ｅ」の「点灯、点滅等の表示態様を視認することができる構成」であることから、
　引用発明において、
　「シール６１」は、「カバー体６２の正面板６２ｄの前面側に配置され」ること、
　「シール６１」が備える「丸窓６１ｂ」及び「丸窓６１ｅ」を介して、「ＬＥＤ６４ｂ」及び「ＬＥＤ６４ｅ」の「点灯、点滅等の表示態様を視認することができる構成」であることはそれぞれ、
　本件補正発明の発明特定事項Ｂ４において、
　「シート材」は、「第２カバーの前面側に配置され」ること、
　「複数のＬＥＤの発光態様を認識可能」であることに相当し、
　引用発明の「シール６１」は、本件補正発明の発明特定事項Ｂ４の「シート材」に相当する。
　そうすると、引用発明の「カバー体６２の正面板６２ｄの前面側に配置され」、「丸窓６１ｂ」及び「丸窓６１ｅ」を介して、「ＬＥＤ６４ｂ」及び「ＬＥＤ６４ｅ」の「点灯、点滅等の表示態様を視認することができる構成」を備える「シール６１」は、本件補正発明の発明特定事項Ｂ４に相当する。
（カ）そして、上記アで検討したとおり、引用発明の「第３の表示装置６０」は、本件補正発明の「遊技表示手段」に相当し、上記（ア）〜（オ）の対比を踏まえると、
　引用発明の「第３の表示装置６０は、ＬＥＤ基板６４と、内側ケース６３と、カバー体６２と、シール６１とから構成され」ることは、本件補正発明の「遊技表示手段は」、「基板と、」「第１カバーと、」「第２カバーと、」「シート材とを備え」ることに相当する。
（キ）上記（ア）から（カ）をまとめると、引用発明は、本件補正発明の発明特定事項Ｂ、発明特定事項Ｂ１、発明特定事項Ｂ３及び発明特定事項Ｂ４に相当する構成を備えるとともに、引用発明と本件補正発明の発明特定事項Ｂ２とは、「前記第１カバーに設けられ複数のＬＥＤが発する光を夫々前方へ導く複数の」手段を有しているという点で共通する。
ウ　発明特定事項Ｃについて
（ア）引用発明の「シール６１」が、本件補正発明の「シート材」に相当することは、上記イ（オ）で検討したとおりであって、引用発明の「シール６１」が備える「光透過性を有しない非透明領域６１ａ」は、本件補正発明の「遮光部」に相当する。
（イ）上記イ（ウ）で述べたとおり、引用発明の「ＬＥＤ６４ｂ」及び「ＬＥＤ６４ｅ」に対応する窓孔は、「窓孔６３ｂ」及び「窓孔６３ｅ」であり、前記窓孔に対応する丸窓は、「丸窓６１ｂ」及び「丸窓６１ｅ」であるから、引用発明の「内側ケース６３」に設けられた、「丸窓６１ｂ」及び「丸窓６１ｅ」は、「窓孔６３ｂ」と当該「窓孔６３ｂ」と他の「窓孔」と「の間に」「形成され」た「仕切部６３ｍ」、及び、「窓孔６３ｅ」と当該「窓孔６３ｅ」と他の「窓孔」と「の間に」「形成され」た「仕切部６３ｍ」（本件補正発明の「複数の導光孔」と「複数の手段」である点で共通。）とも、夫々対応しているといえる。
　そして、引用発明の「シール６１」が備える「丸窓６１ｂ」及び「丸窓６１ｅ」を含んだ「１０個の」「丸窓６１ｂ〜６１ｋ」は、「非透明領域６１ａの中に」備えられていて、しかも、「丸窓６１ｂ」及び「丸窓６１ｅ」を含んだ「１０個の」「丸窓６１ｂ〜６１ｋ」は、「光透過性を有する」一方、「非透明領域６１ａ」は「光透過性を有しない」こと、すなわち、「非透明領域６１ａ」の遮光率は、「光透過性を有しない」程度に高く、「丸窓６１ｂ」及び「丸窓６１ｅ」を含んだ「１０個の」「丸窓６１ｂ〜６１ｋ」の遮光率は、「光透過性を有する」程度に低いことを意味していると認められる。
　よって、引用発明の「丸窓６１ｂ」及び「丸窓６１ｅ」は、本件補正発明の「複数の発光部」に相当するとともに、
　引用発明において、
　「丸窓６１ｂ」及び「丸窓６１ｅ」が、「非透明領域６１ａの中に」備えられていること、
　「丸窓６１ｂ」及び「丸窓６１ｅ」を含んだ「１０個の」「丸窓６１ｂ〜６１ｋ」は、「光透過性を有する」一方、「非透明領域６１ａ」は、「光透過性を有しない」ことはそれぞれ、
　本件補正発明において、
　「複数の発光部」が、「遮光部に囲われて」いること、及び、「遮光部」と「複数の発光部」とが、「共通のシートに形成され」ていること、
　「複数の発光部」が、「遮光部よりも遮光率が低」いことに相当する。
　したがって、引用発明の「シール６１は、」「非透明領域６１ａ」と、「光透過性を有しない非透明領域６１ａの中に」、「光透過性を有する」とともに、「窓孔６３ｂ」及び当該「窓孔６３ｂ」と他の「窓孔」「の間に」「形成され」た「仕切部６３ｍ」、並びに、「窓孔６３ｅ」及び当該「窓孔６３ｅ」と他の「窓孔」「の間に」「形成され」た「仕切部６３ｍ」と、夫々対応した「丸窓６１ｂ」及び「丸窓６１ｅ」を含んだ「１０個の」「丸窓６１ｂ〜６１ｋ」を備えることと、本件補正発明の発明特定事項Ｃとは、「前記シート材は、遮光部と、前記遮光部に囲われて前記遮光部よりも遮光率が低く且つ前記複数の手段に夫々対応する複数の発光部とが共通のシートに形成され」ているという点で共通する。
エ　発明特定事項Ｅについて
（ア）引用発明の「特別図柄表示装置５０に確定停止表示させる特別図柄として、大当り判定の判定結果が肯定の場合には、大当り図柄を決定する一方、大当り判定の判定結果が否定の場合には、はずれ図柄を決定」することは、本件補正発明の「遊技の進行を制御する」ことに相当し、引用発明の「主制御基板３１０」は、本件補正発明の「遊技制御手段」に相当する。
（イ）また、上記アより、
　引用発明において、「第３の表示装置６０」が、「特別図柄変動ゲーム（特図１変動ゲーム）に対応し、ＬＥＤ６４ｂの消灯、点滅、点灯を実行し、丸窓６１ｂを介して、変動中は「点滅」、大当たり図柄確定時は「点灯」、はずれ図柄確定時は「消灯」が視認されること」、及び、「特別図柄変動ゲーム（特図２変動ゲーム）に対応し、ＬＥＤ６４ｅの消灯、点滅、点灯を実行し、丸窓６１ｅを介して、変動中は「点滅」、大当たり図柄確定時は「点灯」、はずれ図柄確定時は「消灯」が視認されること」は、いずれも、本件補正発明において、「遊技表示手段」が、「遊技の進行に関する遊技情報を表示」することに相当するとともに、引用発明の「特別図柄変動ゲーム（特図１変動ゲーム）に対応し」て「消灯、点滅、点灯を実行」する「ＬＥＤ６４ｂ」、及び、「特別図柄変動ゲーム（特図２変動ゲーム）に対応し」て「消灯、点滅、点灯を実行」する「ＬＥＤ６４ｅ」は、本件補正発明の「複数のＬＥＤ」に相当することを踏まえると、
　引用発明の「特別図柄変動ゲーム」「に対応し」た「ＬＥＤ６４ｂ」及び「ＬＥＤ６４ｅ」「の消灯、点滅、点灯を実行」することは、本件補正発明の「遊技制御手段が、複数のＬＥＤを制御して遊技情報を表示させる」ことに相当する。
（ウ）したがって、引用発明において、「特別図柄表示装置５０に確定停止表示させる特別図柄として、大当り判定の判定結果が肯定の場合には、大当り図柄を決定する一方、大当り判定の判定結果が否定の場合には、はずれ図柄を決定」する「主制御基板３１０からの指令信号に基づいて、」「サブ制御基板３２０は、」「第３の表示装置６０に対して制御指令を出力」することにより、「特別図柄変動ゲーム」「に対応し」た「ＬＥＤ６４ｂ」及び「ＬＥＤ６４ｅ」「の消灯、点滅、点灯を実行」することは、本件補正発明において、「前記遊技の進行を制御する遊技制御手段が、複数のＬＥＤを制御して遊技情報を表示させる」ことに相当する。
　よって、引用発明は、本件補正発明の発明特定事項Ｅに相当する構成を備えているといえる。
（４）一致点及び相違点
　上記（３）によれば、本件補正発明と引用発明とは、
　［一致点］
「Ａ　遊技の進行に関する遊技情報を表示する複数のＬＥＤを有する遊技表示手段を備えた遊技機において、
Ｂ　前記遊技表示手段は、
Ｂ１　複数のＬＥＤが表面実装された基板と、前記基板が取付けられると共に前記基板の前面側におけるＬＥＤ発光領域以外の所定領域を覆う第１カバーと、
Ｂ２’　前記第１カバーに設けられ複数のＬＥＤが発する光を夫々前方へ導く複数の手段と、
Ｂ３　前記第１カバーの前面側を覆う第２カバーと、
Ｂ４　前記第２カバーの前面側に配置され、複数のＬＥＤの発光態様を認識可能なシート材とを備え、
Ｃ’　前記シート材は、遮光部と、前記遮光部に囲われて前記遮光部よりも遮光率が低く且つ前記複数の手段に夫々対応する複数の発光部とが共通のシートに形成され、
Ｅ　前記遊技の進行を制御する遊技制御手段が、複数のＬＥＤを制御して遊技情報を表示させる
Ｆ　遊技機。」
　の点で一致し、次の点で相違する。
［相違点］
ア　相違点１（発明特定事項Ｂ２）
　第１カバーに設けられ複数のＬＥＤが発する光を夫々前方へ導く複数の手段について、本件補正発明においては、「導光孔」であると特定されているのに対し、引用発明における「内側ケース６３」に設けられた、「窓孔６３ｂ」及び当該「窓孔６３ｂ」と他の「窓孔」「の間に」「形成され」た「仕切部６３ｍ」、並びに、「窓孔６３ｅ」及び当該「窓孔６３ｅ」と他の「窓孔」「の間に」「形成され」た「仕切部６３ｍ」が、「導光孔」であるかどうか不明である点。
イ　相違点２（発明特定事項Ｃ）
　シート材に形成された「複数の発光部」が夫々対応するものである、第１カバーに設けられた複数の手段について、本件補正発明においては、「導光孔」であると特定されているのに対し、引用発明における「内側ケース６３」に設けられた、「窓孔６３ｂ」及び当該「窓孔６３ｂ」と他の「窓孔」「の間に」「形成され」た「仕切部６３ｍ」、並びに、「窓孔６３ｅ」及び当該「窓孔６３ｅ」と他の「窓孔」「の間に」「形成され」た「仕切部６３ｍ」が、「導光孔」であるかどうか不明である点。
ウ　相違点３（発明特定事項Ｄ１及び発明特定事項Ｄ２）
　シート材の貼付について、本件補正発明は、「前記第２カバーは、前記シート材を貼付するときの取付け位置を位置決め可能な起立部を有し」、「前記シート材を前記第２カバーの前面側に貼付するときに、前記シート材の外縁を前記起立部に沿わせることにより、前記複数の導光孔の各々と前記シート材の複数の発光部の各々とを合わせることが可能である」のに対し、引用発明は、「シール６１」が、「カバー体６２の正面板６２ｄに配置され」るものの、位置決めを行うために、そのような構成を備えていない点。
（５）当審の判断
ア　相違点１及び相違点２（発明特定事項Ｂ２及び同Ｃ）について
　相違点１及び相違点２はいずれも、「導光孔」に関わる相違点であるから、まとめて検討する。
（ア）判断１
　本件補正発明の「導光孔」について、「前記第１カバーに設けられ複数のＬＥＤが発する光を夫々前方へ導く」（発明特定事項Ｂ２）ものと特定されている。当該特定は文言上明確であると認められるので、文言とおりに理解する。
　上記（３）イ（ウ）における検討を踏まえると、引用発明は、「内側ケース６３」に設けられた、「窓孔６３ｂ」及び当該「窓孔６３ｂ」と他の「窓孔」「の間に」「形成され」た「仕切部６３ｍ」、並びに、「窓孔６３ｅ」及び当該「窓孔６３ｅ」と他の「窓孔」「の間に」「形成され」た「仕切部６３ｍ」を備え、「ＬＥＤ６４ｂ」が発する光を、「窓孔６３ｂ」を介してのみ前方の「丸窓６１ｂ」に導くとともに、「ＬＥＤ６４ｅ」が発する光を、「窓孔６３ｅ」を介してのみ前方の「丸窓６１ｅ」に導くものである。
　そして、引用発明の「窓孔６３ｂ」及び「窓孔６３ｅ」は、いずれも、「孔」であって、当該「窓孔６３ｂ」及び「窓孔６３ｅ」を介して、ＬＥＤが発する光をそれぞれ前方に導くことから、引用発明の、上記「孔」を含む、「内側ケース６３」に設けられた、「窓孔６３ｂ」及び当該「窓孔６３ｂ」と他の「窓孔」「の間に」「形成され」た「仕切部６３ｍ」、並びに、「窓孔６３ｅ」及び当該「窓孔６３ｅ」と他の「窓孔」「の間に」「形成され」た「仕切部６３ｍ」は、複数のＬＥＤが発する光を夫々前方へ導く導光孔であるということができ、本件補正発明の「前記第１カバーに設けられ複数のＬＥＤが発する光を夫々前方へ導く複数の導光孔」に相当するから、上記相違点１及び相違点２として挙げた点は、実質的に相違するものではない。
（イ）判断２
　上記（ア）のとおり、本件補正発明の「導光孔」について、「前記第１カバーに設けられ複数のＬＥＤが発する光を夫々前方へ導く」という特定は明確であるが、本件明細書の「【００６９】
　基板カバー５５は、光を透過させない合成樹脂製のカバーからなり、基板カバー５５の後端部分に基板５２の取付凹部５６が形成され、
基板カバー５５
導光孔５７
前後に貫通状に形成
　ＬＥＤを用いた表示装置において、ＬＥＤが実装された基板の前面側を覆う部材に、前後に貫通状に形成された複数の導光孔を設ける技術（以下、「周知技術１」という。）は、本願の出願前において従来周知の技術である。
　例えば、特開２０１４−１７６５５４号公報（以下、「周知例１」という。）には、パチンコ機に配置される遊技情報表示手段２７において、発光基板５８にＬＥＤからなる多数の発光体３８が装着され、前ケース体５６の発光基板５８と対向する前面側には、発光体３８からの光を表示部４１へと導光する複数の導光手段６７が設けられ、導光手段６７は発光基板５８側の各発光体３８に対応して前ケース体５６に前後方向に形成された導光孔６８を有する技術が示されている（【００１８】、【００２４】、【００４９】、【００５２】、図４、図５、図６等を参照。）。
　特開２００６−１９０５９７号公報（以下、「周知例２」という。）には、操作スイッチが設けられた透明の操作パネルの所定の位置を操作スイッチの操作に応じて点灯させる点灯装置において、照明位置１０に投光するＬＥＤ１１をプリント配線板８に設け、照明位置１０とＬＥＤ１１との間の前記キートッププレート７には貫通孔１２が形成されており、該貫通孔１２にはキートッププレート７と一体に形成された円筒状の遮光筒部１３が照明位置１０に向かって延びている技術が示されている（【０００１】、【００１４】、図３、図４等を参照。）。
　実願平５−５２４０５号（実開平７−２３３７８号）のＣＤ−ＲＯＭ（以下、「周知例３」という。）には、７セグメントＬＥＤを使用した操作パネルにおいて、操作パネルは、プリント基板２上に７セグメントで数字が表示されるように所定の位置に表面実装したチップＬＥＤ３と、該チップＬＥＤ３に被せて前記プリント基板２上に載置されると共に、前記チップＬＥＤ３に対応した各位置に両端開口した複数の導光孔４を有するハウジング５からなり、導光孔４の下部開口部が前記チップＬＥＤ３の上部に近接して光が他に散乱しないように設けられる技術が示されている（【０００８】、【０００９】、【００１２】、図２−図４等を参照。）。
　引用発明と上記周知技術１とは、ＬＥＤが発する光を夫々前方へ導く手段を備えた表示装置という点で技術分野が共通するから、引用発明の「内側ケース６３」に、「窓孔６３ｂ」及び当該「窓孔６３ｂ」と他の「窓孔」「の間に」「形成され」た「仕切部６３ｍ」、並びに、「窓孔６３ｅ」及び当該「窓孔６３ｅ」と他の「窓孔」「の間に」「形成され」た「仕切部６３ｍ」を設けることに替えて、上記周知技術１を採用することにより、前後に貫通状に形成されたという形状の複数の導光孔を設ける構成とし、上記相違点１及び相違点２に係る本件補正発明の構成とすることは、当業者が容易に想到し得たことである。
イ　相違点３（発明特定事項Ｄ１及び同Ｄ２）について
（ア）各種表示装置において、表示装置の前面は、シート材を貼付するときの取付け位置を位置決め可能な起立部を有し、前記シート材を表示装置の前面側に貼付するときに、シート材の外縁を起立部に沿わせることにより、シート材を表示装置の前面側に位置決めする技術（以下、「周知技術２」という。）は、本願の出願前において従来周知の技術であって、例えば、特開２０１１−５６０７３号公報（以下、「周知例４」という。）、実願昭６２−１５２６６２号（実開昭６４−５７６８８号）のマイクロフィルム（以下、「周知例５」という。）に示されるとおりである。
（イ）上記（ア）において、周知技術２の証拠として提示した周知例４及び周知例５に示される技術事項は、次のとおりである。
・周知例４には、
　パチンコ機１０において、パチンコ機１０に関する文字情報を表示するための情報表示部である情報表示シール９２が前面９１ａに貼付された表示用部材９１を備え、
　表示用部材９１の前面９１ａに、情報表示シール９２を貼付するためのシール貼付用凹部１９１を設け、シール貼付用凹部１９１の深さは、情報表示シール９２の厚さと等しく設定されていることにより、情報表示シール９２の貼付位置を確実に認識できるため、情報表示シール９２を位置ずれすることなく貼付することができる技術、が示されている（【００３２】、【００５３】、【００９２】、図７等を参照。該技術における、「情報表示シール９２」は、本件補正発明における、「シート材」に対応する。そして、該技術における、「情報表示シール９２の厚さと等しく設定されている」「深さ」である「シール貼付用凹部１９１」が果たす機能は、「情報表示シール９２を位置ずれすることなく貼付すること」であることを鑑みると、該技術における、「シール貼付用凹部１９１」は、本件補正発明における、シート材を「貼付するときの取付け位置を位置決め可能な起立部」に対応する部分を含み、また、該技術において、情報表示シール９２を、表示用部材９１の前面９１ａに貼付するときに、前記情報表示シール９２の外縁を前記シール貼付用凹部１９１に沿わせることにより、位置決めを行っていると認められる。）。
・周知例５には、
　電子部品の筐体において、
　筐体１の上面に、略Ｌ字形の凸部からなる位置決め部２を形成し、ラベル３を、前記位置決め部２によって端縁を位置決めした状態で貼着して用いられることにより、作業性が良く確実に所定位置にラベル３を貼着する技術、が示されている（第１頁第１６行、第２頁第１９行−第２０行、第３頁第１３行−第１６行、第３頁２０行−第４頁第３行、第１図を特に参照。該技術における、「ラベル３」は、本件補正発明における、「シート材」に対応し、同様に、該技術における、「凸部からなる位置決め部２」は、本件補正発明における、シート材を「貼付するときの取付け位置を位置決め可能な起立部」に対応し、また、該技術において、「筐体１の上面に」、「ラベル３」の「端縁を位置決めした状態で」「貼着」することは、ラベル３を表示装置の前面側である筐体１の上面に貼付するときに、ラベル３の端縁を位置決め部２に沿わせることにより、ラベル３を表示装置の前面側に位置決めを行うことであると認められる。
（ウ）引用発明と周知技術２とは、シート材を、表示装置の前面側に配置しているという点で構成上の共通点が見られるとともに、シート材を、表示装置の前面側に配置するに際し、シート材を表示装置の前面側に対し、正確な位置決めを行う必要があることが周知の課題であることは上記周知技術２からも明らかであるので、引用文献１にその旨の記載がなくても、引用発明において、シール６１をカバー体６２の正面板６２ｄに配置するにあたり、シール６１を、カバー体６２の正面板６２ｄに対し、正確に位置決めをして配置しようとすることは、引用発明にも内在している自明な課題であると認められる。
　したがって、引用発明において、「シール６１」を、「カバー体６２の正面板６２ｄに配置」するに際し、上記自明な課題を解決するために、上記周知技術２を採用することにより、表示装置の前面側となる「カバー体６２の正面板６２ｄ」に対し、「シール６１」の位置決めを行うための手段として、上記周知技術２を採用することは、当業者が容易に想到し得たことである。
　そして、「シール６１の丸窓６１ｂ〜６１ｋ、内側ケース６３の窓孔６３ｂ〜６３ｋ、及び、ＬＥＤ基板６４のＬＥＤ６４ｂ〜６４ｋは、遊技盤に組み付けたとき、対応するもの同士が互いに前後方向に重な」る構成である、引用発明において、上記周知技術２を採用して、前記の位置決めを行うと、「窓孔６３ｂ」及び「窓孔６３ｅ」を含む「内側ケース６３の窓孔６３ｂ〜６３ｋ」の各々と、「丸窓６１ｂ」及び「丸窓６１ｅ」を含む「シール６１の丸窓６１ｂ〜６１ｋ」の各々とを合わせることが可能であることはいうまでもないから、引用発明において、上記周知技術２を採用し、上記相違点３に係る本件補正発明の構成とすることは、当業者が想到容易である。
（６）小括
　したがって、本件補正発明は、引用発明、周知技術２に基いて、又は、引用発明、周知技術１、周知技術２に基いて当業者が容易に発明をすることができたものであるから、特許法第２９条第２項の規定により、特許出願の際独立して特許を受けることができない。
４　むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記のとおり却下されたので、本願の請求項１に係る発明（以下、「本願発明」という。）は、平成３０年４月３日付け手続補正書により補正された、上記「第２の１　本件補正について」で示した特許請求の範囲の請求項１に記載されたとおりのものである。
２　原査定の拒絶の理由
　原査定の拒絶の理由は、概略、次のとおりのものである。
１．（新規性）本願発明は、その出願前に電気通信回線を通じて公衆に利用可能となった次の引用文献１に記載された発明であるから、特許法第２９条第１項第３号に該当し、特許を受けることができない。
２．（進歩性）本願発明は、その出願前に日本国内において、本願の出願前に電気通信回線を通じて公衆に利用可能となった次の引用文献１に記載された発明に基いて、その出願前にその発明の属する技術の分野における通常の知識を有する者が容易に発明をすることができたものであるから、特許法第２９条第２項の規定により特許を受けることができない。
　１.特開２０１６−０６３９２２号公報
３　引用文献に記載の事項
　原査定の拒絶の理由に引用された引用文献１の記載事項は、上記「第２の３（２）引用文献１に記載された発明」に記載したとおりである。
４　対比・判断
　本願発明は、上記「第２の２（１）本件補正」において検討したとおり、本件補正発明において、
　発明を特定するために必要な事項である「第１カバー」及び「第２カバー」について、「第１カバー」及び「第２カバー」という２種類のカバーを備えるとの限定を省くとともに、
　「前記第２カバーは、前記シート材を貼付するときの取付け位置を位置決め可能な起立部を有し、
　前記シート材を前記第２カバーの前面側に貼付するときに、前記シート材の外縁を前記起立部に沿わせることにより、前記複数の導光孔の各々と前記シート材の複数の発光部の各々とを合わせることが可能であ」るという限定を省いたものである。
　そうすると、本願発明と引用発明とは、上記「第２の３（４）一致点及び相違点」において検討した、相違点１及び相違点２の点で異なるものである。
　そして、上記相違点１及び相違点２については、前記「第２の３（５）当審の判断　ア」において検討したように、実質的な相違点とならないか、又は、引用発明及び周知技術１に基いて、当業者が容易に発明をすることができたものである。
　
５　むすび
　以上のとおり、本願発明は、引用発明であるから特許法第２９条第１項第３号の規定に該当し特許を受けることができないか、又は、引用発明及び周知技術１に基いて、当業者が容易に発明をすることができたものであるから、特許法第２９条第２項の規定により特許を受けることができない。
　したがって、本願は拒絶すべきものである。
　よって、結論のとおり審決する。